(57)【特許請求の範囲】
【請求項１】
路側装置と無線通信を行うことにより、カード情報に基づき購入する商品の料金の支払いを行う料金支払処理を実行する車載装置において、
前記カード情報を特定する情報であるカードＩＤを有する１又は２以上の前記カード情報を記憶するカード情報記憶手段と、
前記カード情報記憶手段に記憶されている前記カード情報に基づき前記料金支払処理を実行する料金支払手段と、
前記料金支払処理の実行を禁止する条件である支払禁止条件を記憶している支払禁止条件記憶手段と、
前記支払禁止条件記憶手段が記憶している前記支払禁止条件が成立した場合、前記料金支払手段に対し前記料金支払処理の実行を禁止する支払禁止処理を実行する制御手段と、
を備え、
前記カード情報記憶手段は、２以上の前記カード情報を記憶しており、
前記支払禁止条件記憶手段は、前記支払禁止条件と、前記カード情報記憶手段が記憶している前記カード情報とを対応させて記憶しており、
前記制御手段は、前記支払禁止処理において、前記料金支払手段に対し、この支払禁止処理に係る前記支払禁止条件に対応させて前記カード情報記憶手段に記憶されている前記カード情報に基づく前記料金支払処理の実行を禁止すると共に、その際に、前記支払禁止処理に係る前記支払禁止条件に対応させて前記カード情報記憶手段に記憶されている前記カード情報を消去すること、
を特徴とする車載装置。
【請求項２】
請求項１に記載の車載装置において、
前記車載装置は、ユーザに対し種々の情報を報知する報知手段を更に備え、
前記制御手段は、前記料金支払手段に対し前記料金支払処理の実行を禁止する際、前記報知手段を介して、前記料金支払処理の実行を禁止する旨をユーザに報知すること、
を特徴とする車載装置。
【請求項３】
請求項１又は請求項２に記載の車載装置において、
前記車載装置は、前記支払禁止条件を設定するための情報である設定情報を外部から取得する情報取得手段を更に備え、
前記制御手段は、前記情報取得手段が外部から取得した前記設定情報に基づき前記支払禁止条件を設定し、設定した前記支払禁止条件を前記支払禁止条件記憶手段に記憶させる支払禁止条件設定処理を実行すること、
を特徴とする車載装置。
【請求項４】
請求項１から請求項３のいずれかに記載の車載装置において、
前記車載装置は、ユーザの要求を受け付ける受付手段を更に備え、
前記制御手段は、前記受付手段が受け付けたユーザの要求に基づき前記支払禁止条件を設定し、設定した前記支払禁止条件を前記支払禁止条件記憶手段に記憶させること、
を特徴とする車載装置。
【請求項５】
請求項１から請求項４のいずれかに記載の車載装置において、
前記料金支払手段は、２以上の種類の商品に対する料金の支払いを行い、
前記支払禁止条件記憶手段は、前記支払禁止条件と、前記料金支払手段が支払いを行う商品の種類である商品種別とを対応させて記憶しており、
前記制御手段は、前記支払禁止処理において、前記料金支払手段に対し、この支払禁止処理に係る前記支払禁止条件に対応する前記商品種別に属する商品の前記料金支払処理の実行を禁止すること、
を特徴とする車載装置。
【請求項６】
請求項３に記載の車載装置と、前記車載装置に対し情報を送信する携帯機器とを有する料金支払システムにおいて、
前記携帯機器は、前記車載装置に対し情報を送信する携帯機器通信手段と、ユーザの要求を受け付ける携帯機器受付手段と、前記携帯機器受付手段を介してユーザから受け付けた要求に基づき、前記支払禁止条件を設定するための情報である前記設定情報を生成し、生成した前記設定情報を、前記携帯機器通信手段を介して前記車載装置に送信する携帯機器制御手段とを備え、
前記車載装置が備える前記情報取得手段は、前記携帯機器が送信した前記設定情報を受信することにより、外部から前記設定情報を取得すること、
を特徴とする料金支払システム。
【請求項７】
請求項６に記載の料金支払システムにおいて、
前記車載装置は、前記携帯機器に対し情報を送信する送信手段を更に備え、
前記制御手段は、前記支払禁止条件記憶手段に記憶されている前記支払禁止条件を、前記送信手段を介して前記携帯機器に送信する支払禁止条件送信処理を実行し、
前記携帯機器は、種々の情報を表示する携帯機器表示手段と、種々の情報を記憶する携帯機器記憶手段とを更に備え、
前記携帯機器通信手段は、更に、前記車載装置から情報を受信することができ、
前記携帯機器制御手段は、前記携帯機器通信手段が前記車載装置から受信した前記支払禁止条件を前記携帯機器記憶手段に記憶させると共に、前記携帯機器表示手段に表示させること、
を特徴とする料金支払システム。
【請求項８】
請求項７に記載の料金支払システムにおいて、
前記車載装置は、この車載装置を特定する情報である車載装置ＩＤを記憶する車載装置ＩＤ記憶手段を更に備え、
前記車載装置が備える前記制御手段は、前記支払禁止条件送信処理において、前記支払禁止条件と、前記車載装置ＩＤ記憶手段に記憶されている前記車載装置ＩＤとを関連付けて、前記携帯機器に送信し、
前記携帯機器制御手段は、前記携帯機器通信手段を介して前記支払禁止条件と、この支払禁止条件と関連付けられている前記車載装置ＩＤとを受信し、前記支払禁止条件と、この支払禁止条件と関連付けられている前記車載装置ＩＤとを対応付けて前記携帯機器記憶手段に記憶させること、
を特徴とする料金支払システム。
【請求項９】
請求項７又は請求項８に記載の料金支払システムにおいて、
前記支払禁止条件記憶手段は、前記支払禁止条件と、前記カード情報記憶手段が記憶している前記カード情報とを対応させて記憶しており、
前記車載装置が備える前記制御手段は、
前記支払禁止処理において、前記料金支払手段に対し、この支払禁止処理に係る前記支払禁止条件に対応して前記カード情報記憶手段に記憶されている前記カード情報に基づく前記料金支払処理の実行を禁止し、
前記支払禁止条件送信処理において、前記支払禁止条件と、この支払禁止条件に対応して前記カード情報記憶手段に記憶されている前記カード情報が有する前記カードＩＤとを関連付けて、前記携帯機器に送信し、
前記携帯機器制御手段は、前記携帯機器通信手段を介して前記支払禁止条件と、この支払禁止条件に関連付けられている前記カードＩＤとを受信し、前記支払禁止条件と、この支払禁止条件に関連付けられている前記カードＩＤとを対応付けて前記携帯機器記憶手段に記憶させること、
を特徴とする料金支払システム。
【請求項１０】
請求項９に記載の料金支払システムにおいて、
前記車載装置が備える前記制御手段は、
前記支払禁止処理において前記料金支払処理を禁止したか否かを示す情報と、この支払禁止処理に係る前記支払禁止条件に対応する前記カード情報が有する前記カードＩＤとを有する支払禁止情報を生成し、
前記支払禁止条件送信処理において、生成した前記支払禁止情報を、前記送信手段を介して前記携帯機器に送信し、
前記携帯機器制御手段は、前記車載装置から、前記携帯機器通信手段を介して前記支払禁止情報を受信し、受信した前記支払禁止情報を、前記携帯機器記憶手段に記憶させると共に、前記携帯機器表示手段に表示させること、
を特徴とする料金支払システム。
【請求項１１】
請求項７から請求項１０のいずれかに記載の料金支払システムにおいて、
前記料金支払システムは、路側装置と、情報センタと、を更に有し、
前記路側装置は、前記車載装置と無線通信を行うと共に、前記情報センタと通信を行い、
前記情報センタは、前記携帯機器と通信を行い、
前記携帯機器通信手段は、前記携帯機器通信手段から前記情報センタに対し情報を送信し、そして、前記情報センタにおいて、前記携帯機器通信手段から受信した情報を前記路側装置に対し送信し、更に、前記路側装置において、前記情報センタから受信した情報を、無線通信を介して前記車載装置の送信することにより、前記車載装置に情報を送信し、
前記情報取得手段は、前記携帯機器が前記情報センタに対し送信し、更に、前記情報センタが前記路側装置に送信した前記設定情報を、前記路側装置から無線通信を介して受信することにより、外部から前記設定情報を取得すること、
を特徴とする料金支払システム。
【請求項１２】
請求項８を引用する請求項１１に記載の料金支払システムにおいて、
前記携帯機器制御手段は、前記携帯機器通信手段を介して、前記設定情報と、前記携帯機器記憶手段に記憶されている前記車載装置ＩＤとを関連付けて、前記情報センタと、前記路側装置とを経由して前記車載装置に送信し、
前記情報センタは、前記携帯機器から、前記設定情報と、この設定情報に関連付けられている前記車載装置ＩＤとを受信する情報センタ受信手段と、前記路側装置を経由して、前記車載装置と通信を行う情報センタ通信手段と、前記設定情報と、この設定情報に関連付けられている前記車載装置ＩＤとを対応付けて記憶する情報センタ記憶手段と、種々の制御を行う情報センタ制御手段とを備え、
前記車載装置が備える前記料金支払手段は、前記料金支払処理において、前記車載装置ＩＤ記憶手段に記憶されている前記車載装置ＩＤを、無線通信を介して前記路側装置に送信し、
前記路側装置は、前記料金支払処理を実行する前記料金支払手段に係る前記車載装置から受信した前記車載装置ＩＤを、前記情報センタに送信し、
前記情報センタ制御手段は、前記情報センタ通信手段が、前記料金支払処理を実行する前記料金支払手段に係る前記車載装置から受信した前記車載装置ＩＤに対応する前記設定情報が前記情報センタ記憶手段に記憶されている場合、受信した前記車載装置ＩＤに対応して前記情報センタ記憶手段に記憶されている前記設定情報を、受信した前記車載装置ＩＤの送信元である前記車載装置に対し、前記情報センタ通信手段を介して送信し、
前記車載装置が備える前記情報取得手段は、前記携帯機器から前記情報センタに送信され、前記情報センタに記憶されている前記設定情報を、前記料金支払処理を実行する際に、前記情報センタから前記路側装置を経由して受信することにより、外部から前記設定情報を取得すること、
を特徴とする料金支払システム。
【請求項１３】
請求項１１または請求項１２に記載の料金支払システムにおいて、
前記情報センタは、前記携帯機器に対し情報を送信する情報センタ送信手段を更に備え、
前記車載装置が備える前記送信手段は、前記送信手段から前記路側装置に対し無線通信を介して情報を送信し、そして、前記路側装置において、前記送信手段から受信した情報を前記情報センタに対し送信し、更に、前記情報センタにおいて、前記情報センタ通信手段が前記路側装置から受信した情報を、前記情報センタ送信手段が前記携帯機器に送信することにより、前記携帯機器に情報を送信し、
前記携帯機器通信手段は、前記車載装置が前記路側装置に対し無線通信を介して送信した情報を、前記路側装置と、前記情報センタとを経由して受信することにより、前記車載装置から情報を受信すること、
を特徴とする料金支払システム。
【請求項１４】
請求項１３に記載の料金支払システムにおいて、
前記車載装置が備える前記制御手段は、前記料金支払手段が前記料金支払処理を実行する際に、前記支払禁止条件送信処理を実行すること、
を特徴とする料金支払システム。
【請求項１５】
請求項７から請求項１４のいずれかに記載の料金支払システムにおける前記車載装置について記載した手段を有することを特徴とする車載装置。
【請求項１６】
請求項７から請求項１４のいずれかに記載の料金支払システムにおける前記携帯機器について記載した手段を有することを特徴とする携帯機器。
【請求項１７】
請求項１１から請求項１４のいずれかに記載の料金支払システムにおける前記情報センタについて記載した手段を有することを特徴とする情報センタ。
【請求項１８】
路側装置と無線通信を行うことにより、カード情報に基づき購入する商品の料金の支払いを行う料金支払処理を実行する車載装置と、前記車載装置に対し情報を送信する携帯機器とを有する料金支払システムにおいて、
前記車載装置は、
前記カード情報を特定する情報であるカードＩＤを有する１又は２以上の前記カード情報を記憶するカード情報記憶手段と、
前記カード情報記憶手段に記憶されている前記カード情報に基づき前記料金支払処理を実行する料金支払手段と、
前記料金支払処理の実行を禁止する条件である支払禁止条件を記憶している支払禁止条件記憶手段と、
前記支払禁止条件記憶手段が記憶している前記支払禁止条件が成立した場合、前記料金支払手段に対し前記料金支払処理の実行を禁止する支払禁止処理を実行する制御手段と、
前記支払禁止条件を設定するための情報である設定情報を外部から取得する情報取得手段と、
を備え、
前記制御手段は、前記情報取得手段が外部から取得した前記設定情報に基づき前記支払禁止条件を設定し、設定した前記支払禁止条件を前記支払禁止条件記憶手段に記憶させる支払禁止条件設定処理を実行し、
前記携帯機器は、前記車載装置に対し情報を送信する携帯機器通信手段と、ユーザの要求を受け付ける携帯機器受付手段と、前記携帯機器受付手段を介してユーザから受け付けた要求に基づき、前記支払禁止条件を設定するための情報である前記設定情報を生成し、生成した前記設定情報を、前記携帯機器通信手段を介して前記車載装置に送信する携帯機器制御手段とを備え、
前記車載装置が備える前記情報取得手段は、前記携帯機器が送信した前記設定情報を受信することにより、外部から前記設定情報を取得し、
前記車載装置は、前記携帯機器に対し情報を送信する送信手段を更に備え、
前記制御手段は、前記支払禁止条件記憶手段に記憶されている前記支払禁止条件を、前記送信手段を介して前記携帯機器に送信する支払禁止条件送信処理を実行し、
前記携帯機器は、種々の情報を表示する携帯機器表示手段と、種々の情報を記憶する携帯機器記憶手段とを更に備え、
前記携帯機器通信手段は、更に、前記車載装置から情報を受信することができ、
前記携帯機器制御手段は、前記携帯機器通信手段が前記車載装置から受信した前記支払禁止条件を前記携帯機器記憶手段に記憶させると共に、前記携帯機器表示手段に表示させ、
前記料金支払システムは、路側装置と、情報センタと、を更に有し、
前記路側装置は、前記車載装置と無線通信を行うと共に、前記情報センタと通信を行い、
前記情報センタは、前記携帯機器と通信を行い、
前記携帯機器通信手段は、前記携帯機器通信手段から前記情報センタに対し情報を送信し、そして、前記情報センタにおいて、前記携帯機器通信手段から受信した情報を前記路側装置に対し送信し、更に、前記路側装置において、前記情報センタから受信した情報を、無線通信を介して前記車載装置の送信することにより、前記車載装置に情報を送信し、
前記情報取得手段は、前記携帯機器が前記情報センタに対し送信し、更に、前記情報センタが前記路側装置に送信した前記設定情報を、前記路側装置から無線通信を介して受信することにより、外部から前記設定情報を取得すること、
を特徴とする料金支払システム。
【請求項１９】
請求項１８に記載の料金支払システムにおいて、
前記車載装置は、この車載装置を特定する情報である車載装置ＩＤを記憶する車載装置ＩＤ記憶手段を更に備え、
前記車載装置が備える前記制御手段は、前記支払禁止条件送信処理において、前記支払禁止条件と、前記車載装置ＩＤ記憶手段に記憶されている前記車載装置ＩＤとを関連付けて、前記携帯機器に送信し、
前記携帯機器制御手段は、前記携帯機器通信手段を介して前記支払禁止条件と、この支払禁止条件と関連付けられている前記車載装置ＩＤとを受信し、前記支払禁止条件と、この支払禁止条件と関連付けられている前記車載装置ＩＤとを対応付けて前記携帯機器記憶手段に記憶させること、
を特徴とする料金支払システム。
【請求項２０】
請求項１８又は請求項１９に記載の料金支払システムにおいて、
前記支払禁止条件記憶手段は、前記支払禁止条件と、前記カード情報記憶手段が記憶している前記カード情報とを対応させて記憶しており、
前記車載装置が備える前記制御手段は、
前記支払禁止処理において、前記料金支払手段に対し、この支払禁止処理に係る前記支払禁止条件に対応して前記カード情報記憶手段に記憶されている前記カード情報に基づく前記料金支払処理の実行を禁止し、
前記支払禁止条件送信処理において、前記支払禁止条件と、この支払禁止条件に対応して前記カード情報記憶手段に記憶されている前記カード情報が有する前記カードＩＤとを関連付けて、前記携帯機器に送信し、
前記携帯機器制御手段は、前記携帯機器通信手段を介して前記支払禁止条件と、この支払禁止条件に関連付けられている前記カードＩＤとを受信し、前記支払禁止条件と、この支払禁止条件に関連付けられている前記カードＩＤとを対応付けて前記携帯機器記憶手段に記憶させること、
を特徴とする料金支払システム。
【請求項２１】
請求項２０に記載の料金支払システムにおいて、
前記車載装置が備える前記制御手段は、
前記支払禁止処理において前記料金支払処理を禁止したか否かを示す情報と、この支払禁止処理に係る前記支払禁止条件に対応する前記カード情報が有する前記カードＩＤとを有する支払禁止情報を生成し、
前記支払禁止条件送信処理において、生成した前記支払禁止情報を、前記送信手段を介して前記携帯機器に送信し、
前記携帯機器制御手段は、前記車載装置から、前記携帯機器通信手段を介して前記支払禁止情報を受信し、受信した前記支払禁止情報を、前記携帯機器記憶手段に記憶させると共に、前記携帯機器表示手段に表示させること、
を特徴とする料金支払システム。
【請求項２２】
請求項１９と、請求項１９を引用する請求項２０または請求項２１とのうちのいずれか１項に記載の料金支払システムにおいて、
前記携帯機器制御手段は、前記携帯機器通信手段を介して、前記設定情報と、前記携帯機器記憶手段に記憶されている前記車載装置ＩＤとを関連付けて、前記情報センタと、前記路側装置とを経由して前記車載装置に送信し、
前記情報センタは、前記携帯機器から、前記設定情報と、この設定情報に関連付けられている前記車載装置ＩＤとを受信する情報センタ受信手段と、前記路側装置を経由して、前記車載装置と通信を行う情報センタ通信手段と、前記設定情報と、この設定情報に関連付けられている前記車載装置ＩＤとを対応付けて記憶する情報センタ記憶手段と、種々の制御を行う情報センタ制御手段とを備え、
前記車載装置が備える前記料金支払手段は、前記料金支払処理において、前記車載装置ＩＤ記憶手段に記憶されている前記車載装置ＩＤを、無線通信を介して前記路側装置に送信し、
前記路側装置は、前記料金支払処理を実行する前記料金支払手段に係る前記車載装置から受信した前記車載装置ＩＤを、前記情報センタに送信し、
前記情報センタ制御手段は、前記情報センタ通信手段が、前記料金支払処理を実行する前記料金支払手段に係る前記車載装置から受信した前記車載装置ＩＤに対応する前記設定情報が前記情報センタ記憶手段に記憶されている場合、受信した前記車載装置ＩＤに対応して前記情報センタ記憶手段に記憶されている前記設定情報を、受信した前記車載装置ＩＤの送信元である前記車載装置に対し、前記情報センタ通信手段を介して送信し、
前記車載装置が備える前記情報取得手段は、前記携帯機器から前記情報センタに送信され、前記情報センタに記憶されている前記設定情報を、前記料金支払処理を実行する際に、前記情報センタから前記路側装置を経由して受信することにより、外部から前記設定情報を取得すること、
を特徴とする料金支払システム。
【請求項２３】
請求項１８から請求項２２のいずれかに記載の料金支払システムにおいて、
前記情報センタは、前記携帯機器に対し情報を送信する情報センタ送信手段を更に備え、
前記車載装置が備える前記送信手段は、前記送信手段から前記路側装置に対し無線通信を介して情報を送信し、そして、前記路側装置において、前記送信手段から受信した情報を前記情報センタに対し送信し、更に、前記情報センタにおいて、前記情報センタ通信手段が前記路側装置から受信した情報を、前記情報センタ送信手段が前記携帯機器に送信することにより、前記携帯機器に情報を送信し、
前記携帯機器通信手段は、前記車載装置が前記路側装置に対し無線通信を介して送信した情報を、前記路側装置と、前記情報センタとを経由して受信することにより、前記車載装置から情報を受信すること、
を特徴とする料金支払システム。
【請求項２４】
請求項２３に記載の料金支払システムにおいて、
前記車載装置が備える前記制御手段は、前記料金支払手段が前記料金支払処理を実行する際に、前記支払禁止条件送信処理を実行すること、
を特徴とする料金支払システム。
【請求項２５】
請求項１８から請求項２４のいずれかに記載の料金支払システムにおける前記車載装置について記載した手段を有することを特徴とする車載装置。
【請求項２６】
請求項１８から請求項２４のいずれかに記載の料金支払システムにおける前記携帯機器について記載した手段を有することを特徴とする携帯機器。
【請求項２７】
請求項１８から請求項２４のいずれかに記載の料金支払システムにおける前記情報センタについて記載した手段を有することを特徴とする情報センタ。
【発明の詳細な説明】
【技術分野】
【０００１】
本発明は、無線通信を介して料金等の収受を行う無線通信システム等に関する。
【背景技術】
【０００２】
無線通信を介して料金等の支払いを行うシステムの一つとしてＥＴＣシステムが知られている。このＥＴＣシステムは、有料道路の料金所ゲートに設置した路側装置と、車両に搭載された車載装置との間で無線通信を介して自動的に料金の支払いを行い、車両がノンストップで料金所を通過することを実現したシステムである。
【０００３】
このＥＴＣシステムは、近年の飛躍的な普及に伴い、ＥＴＣシステムの車載装置を、ファーストフードショップでの買い物や、駐車場への入退管理に利用できるようにする動きが具体化しつつあり、今後のさらなる利用形態の拡大が期待されている。
【０００４】
従来のＥＴＣシステムでは、ユーザは、ＥＴＣシステムの料金所ゲートを通過する際、料金の支払いに必要な情報が記憶されているＥＴＣカードを車載装置に挿入した状態にする必要がある。したがって、ユーザは、サービスエリア等で車載装置からＥＴＣカードを抜いた場合、料金所ゲートを通過するまでに、再度ＥＴＣカードを車載装置に挿入する作業を行わなければならない。
【０００５】
このようなユーザの作業負担をなくすため、先行技術文献１に記載の発明では、カードセンタサーバは、携帯機器等に記憶されているカード情報に基づき車載装置用カード情報を生成し、生成した車載装置用カード情報を車載装置に記憶させる。そして、車載装置は、この車載装置に記憶されている車載装置用カード情報に基づき料金の支払いを行う。こうすることにより、ユーザは、ＥＴＣシステムの料金所ゲートを通過するまでに車載装置にＩＣカードを挿入するという作業を行う必要がなくなる。
【０００６】
［先行技術文献１］特願２００６−２４０４９１号
【発明の開示】
【発明が解決しようとする課題】
【０００７】
しかしながら、車載装置にカード情報を記憶させる状況として、ユーザ自身が所有する車両を利用する場合のみではなく、タクシーやレンタカーといった他人が所有する車両を利用する場合も想定することができる。他人が所有する車両に搭載されている車載装置にカード情報を記憶させ、車両を降りた際にカード情報を消去し忘れた場合、無制限にユーザのカード情報に基づく決済が行われ、ユーザは不本意な料金の支払いを要求されるおそれがある。また、ユーザの所有する車両を、この車両に搭載されている車載装置と共に売却する場合も、同様の問題が発生することが想定される。
【０００８】
本発明は上記課題を解決するためになされたものであり、車載装置に記憶されているカード情報に基づき、無制限に料金の支払いが行われてしまうことを防ぐことができる車載装置を提供することを目的とする。
【課題を解決するための手段】
【０００９】
上記課題を解決するためになされた請求項１に記載の車載装置は、路側装置と無線通信を行うことにより、カード情報に基づき購入する商品の料金の支払いを行う料金支払処理を実行する。そして、カード情報を特定する情報であるカードＩＤを有する１又は２以上のカード情報を記憶するカード情報記憶手段と、カード情報記憶手段に記憶されているカード情報に基づき料金支払処理を実行する料金支払手段と、料金支払処理の実行を禁止する条件である支払禁止条件を記憶している支払禁止条件記憶手段と、支払禁止条件記憶手段が記憶している支払禁止条件が成立した場合、料金支払手段に対し料金支払処理の実行を禁止する支払禁止処理を実行する制御手段とを備える。
そして、カード情報記憶手段は、２以上のカード情報を記憶しており、支払禁止条件記憶手段は、支払禁止条件と、カード情報記憶手段が記憶しているカード情報とを対応させて記憶している。
また、制御手段は、支払禁止処理において、料金支払手段に対し、この支払禁止処理に係る支払禁止条件に対応させてカード情報記憶手段に記憶されているカード情報に基づく料金支払処理の実行を禁止すると共に、その際に、支払禁止処理に係る支払禁止条件に対応させてカード情報記憶手段に記憶されているカード情報を消去する。
【００１０】
ここで、カード情報とは、料金の支払いに必要な情報であって、カードＩＤ以外に、名義人情報、残金情報、カード会社情報等の情報を有していても良い。
このような構成を有することにより、車載装置に記憶されているカード情報に基づき、無制限に料金の支払いが行われてしまうといった事態を防ぐことができる。
また、カード情報毎に支払禁止情報を設定することが可能となり、車載装置の利便性が向上する。
さらに、支払禁止処理にて料金の支払いを禁止した後、カード情報は車載装置に記憶された状態になっていると、何らかの方法によりカード情報が車載装置から読み出され、カード情報が外部に流出してしまうおそれがあるが、支払禁止処理にて料金支払処理の実行を禁止する際に、該支払禁止処理に係る支払禁止条件に対応させて記憶されているカード情報が消去される。このため、料金の支払いを禁止されたカード情報が外部に流出してしまうことを防ぐことが可能となり、車載装置の安全性を向上させることができる。
【００１１】
尚、制御手段は、情報取得手段を介して外部から取得したカード情報を、カード情報記憶手段にカード情報を記憶させる際に、情報取得手段を介して外部から取得した支払禁止条件を、支払禁止条件記憶手段に記憶させても良い。
【００１２】
また、支払禁止条件とは、例えば、所定のカード情報に基づき支払いを行った金額が所定の金額を超えるという条件や、所定のカード情報に基づき支払いを行った回数が所定の回数を超えるという条件や、所定のカード情報をカード情報記憶手段に記憶させた後、所定の時間が経過するという条件や、所定のカード情報をカード情報記憶手段に記憶させた後、最初に車載装置が搭載されている車両のエンジンを停止するという条件であっても良い。また、これらの条件のうちの複数を条件として設定し、設定した条件のうちの一つが成立した場合に料金の支払いを禁止しても良いし、これらの条件のうちの複数の条件が同時に成立した場合に料金の支払いを禁止しても良い。
【００１３】
また、支払禁止処理を行うタイミングは、例えば、購入したサービスの提供を受けた後に実行しても良いし、購入するサービスの提供サービス開始時や、購入した商品の料金を支払った後に実行しても良い。また、特定の日時に行っても良いし、定期的に行っても良いし、車載装置が搭載されている車両のエンジンを始動した際や、エンジンを停止した際に行っても良い。
【００１４】
しかし、このままでは、ユーザは、車載装置に記憶されているカード情報に基づき料金の支払いを行うことができるか否かを知ることができない。
そこで、請求項２に記載の車載装置は、ユーザに対し種々の情報を報知する報知手段を更に備え、制御手段は、料金支払手段に対し料金支払処理の実行を禁止する際、報知手段を介して、料金支払処理の実行を禁止する旨をユーザに報知する。
【００１５】
こうすることにより、ユーザは、車載装置に記憶されているカード情報に基づき料金の支払いを行うことができるか否かを知ることが可能となり、車載装置の利便性が向上する。
【００１６】
また、次のような方法で支払禁止条件を設定すると良い。
請求項３に記載の車載装置では、支払禁止条件を設定するための情報である設定情報を外部から取得する情報取得手段を更に備え、制御手段は、情報取得手段が外部から取得した設定情報に基づき支払禁止条件を設定し、設定した支払禁止条件を支払禁止条件記憶手段に記憶させる支払禁止条件設定処理を実行する。
【００１７】
具体的には、情報取得手段は、例えば、ユーザが所持する携帯機器等にて生成された設定情報を取得し、支払禁止情報を設定することができる。ここで、情報取得手段が取得した設定情報に基づき支払禁止条件を設定するとは、支払禁止条件記憶手段に記憶されている支払禁止条件を変更して支払禁止条件を生成することと、新たに別の支払禁止条件を生成することとを意味する。
【００１８】
また、請求項４に記載の車載装置は、ユーザの要求を受け付ける受付手段を更に備え、制御手段は、受付手段が受け付けたユーザの要求に基づき支払禁止条件を設定し、設定した支払禁止条件を支払禁止条件記憶手段に記憶させる。
【００１９】
ここで、受付手段を介してユーザから受け付けた操作に基づき支払禁止条件を設定するとは、支払禁止条件記憶手段に記憶されている支払禁止条件を変更して支払禁止条件を生成することと、新たに別の支払禁止条件を生成することとを意味する。
【００２０】
こうすることにより、ユーザは、容易に支払禁止条件を設定することが可能となる。
また、制御手段は、情報取得手段が取得した情報や、受付手段が受け付けたユーザの要求に基づき、支払禁止条件記憶手段に記憶されている支払禁止条件を削除しても良い。また、制御手段は、情報取得手段が取得した情報や、受付手段が受け付けたユーザの要求に基づき、カード情報記憶手段に記憶されているカード情報を消去しても良い。
【００２１】
また、制御手段は、次のような態様でカード情報に基づく料金の支払いの禁止を行っても良い。
請求項５に記載の車載装置では、料金支払手段は、２以上の種類の商品に対する料金の支払いを行い、支払禁止条件記憶手段は、支払禁止条件と、料金支払手段が支払いを行う商品の種類である商品種別とを対応させて記憶しており、制御手段は、支払禁止処理において、料金支払手段に対し、この支払禁止処理に係る支払禁止条件に対応する商品種別に属する商品の料金支払処理の実行を禁止する。
【００２２】
こうすることにより、商品種別毎に、商品種別の性質等に応じて支払禁止条件を設定することが可能となり、車載装置の利便性が向上する。
【００２５】
また、車載装置は、次のような態様により、携帯機器から支払禁止条件の設定を受け付けても良い。
【００２６】
請求項６に記載の料金支払システムは、車載装置と、車載装置に対し情報を送信する携帯機器とを有する。そして、携帯機器は、車載装置に対し情報を送信する携帯機器通信手段と、ユーザの要求を受け付ける携帯機器受付手段と、携帯機器受付手段を介してユーザから受け付けた要求に基づき、支払禁止条件を設定するための情報である設定情報を生成し、生成した設定情報を、携帯機器通信手段を介して車載装置に送信する携帯機器制御手段とを備え、車載装置が備える情報取得手段は、携帯機器が送信した設定情報を受信することにより、外部から設定情報を取得する。
【００２７】
ここで、携帯機器とは、例えば、ユーザが所持する携帯電話等であっても良く、携帯電話等から近距離無線通信を介して車載装置に設定情報を送信しても良い。こうすることにより、ユーザは、携帯機器にて支払禁止条件を設定することが可能となり、支払禁止条件を設定する際の利便性を向上させることができる。また、携帯機器は、例えば、公衆回線網やインターネットを介して車載装置に設定情報を送信しても良い。このような構成を有する場合、ユーザは遠隔地から支払禁止条件を設定することが可能となり、支払禁止条件を設定する際の利便性を向上させることができる。また、携帯機器と車載装置とを有線で接続し、この有線を介して携帯機器から車載装置に設定情報を送信しても良い。
【００２８】
また、車載装置が備える制御手段は、携帯機器から受信した設定情報に基づき支払禁止条件を設定した場合、報知手段を介してその旨をユーザに報知すると良い。こうすることにより、車載装置を使用しているユーザの知らぬ間に支払禁止条件が変更されてしまうといった事態の発生を防ぐことができる。
【００２９】
しかし、ユーザは、請求項６に記載の料金支払システムを構成する携帯機器により、車載装置にて設定されている支払禁止条件の内容を確認することができない。
そこで、請求項７に記載の料金支払システムでは、車載装置は、携帯機器に対し情報を送信する送信手段を更に備え、制御手段は、支払禁止条件記憶手段に記憶されている支払禁止条件を、送信手段を介して携帯機器に送信する支払禁止条件送信処理を実行する。そして、携帯機器は、種々の情報を表示する携帯機器表示手段と、種々の情報を記憶する携帯機器記憶手段とを更に備え、携帯機器通信手段は、更に、車載装置から情報を受信することができ、携帯機器制御手段は、携帯機器通信手段が車載装置から受信した支払禁止条件を携帯機器記憶手段に記憶させると共に、携帯機器表示手段に表示させる。
【００３０】
こうすることにより、ユーザは、携帯機器を用いて車載装置にて設定されている支払禁止条件を確認することが可能となり、携帯機器から車載装置に設定されている支払禁止条件を管理することができる。したがって、料金支払システムの利便性を向上させることができる。尚、車載装置は、近距離無線通信や、公衆回線網や、インターネット等を介して携帯機器に支払禁止条件を送信しても良いし、車載装置と携帯機器とを有線で接続し、この有線を介して携帯機器に支払禁止条件を送信しても良い。
【００３１】
また、車載装置が備える制御手段は、携帯機器から受信した設定情報に基づき支払禁止条件を設定した後、携帯機器から受信した設定情報に基づき支払禁止条件を設定したことを示す更新完了通知を、送信手段を介して携帯機器に送信しても良い。そして、この更新完了通知を受信した携帯機器は、更新完了通知を受信したことを、報知手段を介してユーザに報知すると良い。こうすることにより、料金支払システムの利便性が向上する。
【００３２】
また、車載装置が備える制御手段は、携帯機器から受信した設定情報に基づき支払禁止条件を設定した後、送信手段を介して新たに設定した支払禁止情報を携帯機器に送信しても良い。こうすることにより、携帯機器は、車載装置にて設定された支払禁止条件に、送信した設定情報が正確に反映されているか否かを確認することができる。
【００３３】
しかし、請求項７に記載の料金支払システムを構成する携帯機器では、支払禁止条件と、この支払禁止条件設定されている車載装置とを対応付けて記憶していないため、例えば、複数の車載装置に設定されている支払禁止条件を同時に管理することが困難である。
【００３４】
そこで、請求項８に記載の料金支払システムでは、車載装置は、この車載装置を特定する情報である車載装置ＩＤを記憶する車載装置ＩＤ記憶手段を更に備え、車載装置が備える制御手段は、支払禁止条件送信処理において、支払禁止条件と、車載装置ＩＤ記憶手段に記憶されている車載装置ＩＤとを関連付けて、携帯機器に送信する。携帯機器制御手段は、携帯機器通信手段を介して支払禁止条件と、この支払禁止条件と関連付けられている車載装置ＩＤとを受信し、支払禁止条件と、この支払禁止条件と関連付けられている車載装置ＩＤとを対応付けて携帯機器記憶手段に記憶させる。
【００３５】
こうすることにより、携帯機器は、複数の車載装置にて設定されている支払禁止条件を同時に管理することが容易となり、料金支払システムの利便性を向上させることができる。
【００３６】
また、請求項９に記載の料金支払システムでは、支払禁止条件記憶手段は、支払禁止条件と、カード情報記憶手段が記憶しているカード情報とを対応させて記憶している。そして、車載装置が備える制御手段は、支払禁止処理において、料金支払手段に対し、この支払禁止処理に係る支払禁止条件に対応してカード情報記憶手段に記憶されているカード情報に基づく料金支払処理の実行を禁止し、支払禁止条件送信処理において、支払禁止条件と、この支払禁止条件に対応してカード情報記憶手段に記憶されているカード情報が有するカードＩＤとを関連付けて、携帯機器に送信する。そして、携帯機器制御手段は、携帯機器通信手段を介して支払禁止条件と、この支払禁止条件に関連付けられているカードＩＤとを受信し、支払禁止条件と、支払禁止条件に関連付けられているカードＩＤとを対応付けて携帯機器記憶手段に記憶させる。
【００３７】
こうすることにより、ユーザは、携帯機器にてカード情報毎に支払禁止条件を管理することが可能となり、料金支払システムの利便性が向上する。
しかし、請求項９に記載の料金支払システムでは、ユーザは、携帯機器にてカード情報に基づく料金の支払いが禁止されているか否かを確認することができない。
【００３８】
そこで、請求項１０に記載の料金支払システムでは、車載装置が備える制御手段は、支払禁止処理において料金支払処理を禁止したか否かを示す情報と、この支払禁止処理に係る支払禁止条件に対応するカード情報が有するカードＩＤとを有する支払禁止情報を生成し、支払禁止条件送信処理において、生成した支払禁止情報を、送信手段を介して携帯機器に送信する。そして、携帯機器制御手段は、車載装置から、携帯機器通信手段を介して支払禁止情報を受信し、受信した支払禁止情報を、携帯機器記憶手段に記憶させると共に、携帯機器表示手段に表示させる。
【００３９】
こうすることにより、ユーザは、携帯機器にて、車載装置に記憶されているカード情報に基づく料金の支払いが禁止されているか否かを確認することが可能となり、料金支払システムの利便性が向上する。
【００４０】
尚、車載装置は、カードＩＤと共に、このカードＩＤに係るカード情報がカード情報記憶手段に記憶された日時を示す情報を、携帯機器に送信しても良い。
また、携帯機器は、次のようにして車載装置に情報を送信しても良い。
【００４１】
請求項１１に記載の料金支払システムは、路側装置と、情報センタと、を更に有し、路側装置は、車載装置と無線通信を行うと共に、情報センタと通信を行い、情報センタは、前記携帯機器と通信を行う。そして、携帯機器通信手段は、携帯機器通信手段から情報センタに対し情報を送信し、そして、情報センタにおいて、携帯機器通信手段から受信した情報を路側装置に対し送信し、更に、路側装置において、情報センタから受信した情報を、無線通信を介して車載装置の送信することにより、車載装置に情報を送信する。そして、情報取得手段は、携帯機器が情報センタに対し送信し、更に、情報センタが路側装置に送信した設定情報を、路側装置から無線通信を介して受信することにより、外部から設定情報を取得する。
【００４２】
このような構成を有する場合であっても、携帯機器から車載装置に設定情報を送信し、支払禁止条件を設定することができる。
また、請求項１２に記載の料金支払システムは、携帯機器制御手段は、携帯機器通信手段を介して、設定情報と、携帯機器記憶手段に記憶されている車載装置ＩＤとを関連付けて、情報センタと、路側装置とを経由して車載装置に送信する。そして、情報センタは、携帯機器から、設定情報と、この設定情報に関連付けられている車載装置ＩＤとを受信する情報センタ受信手段と、路側装置を経由して、車載装置と通信を行う情報センタ通信手段と、設定情報と、この設定情報に関連付けられている車載装置ＩＤとを対応付けて記憶する情報センタ記憶手段と、種々の制御を行う情報センタ制御手段とを備える。そして、車載装置が備える料金支払手段は、料金支払処理において、車載装置ＩＤ記憶手段に記憶されている車載装置ＩＤを、無線通信を介して路側装置に送信し、路側装置は、料金支払処理を実行する料金支払手段に係る車載装置から受信した車載装置ＩＤを、情報センタに送信する。そして、情報センタ制御手段は、情報センタ通信手段が、料金支払処理を実行する料金支払手段に係る車載装置から受信した車載装置ＩＤに対応する設定情報が情報センタ記憶手段に記憶されている場合、受信した車載装置ＩＤに対応して情報センタ記憶手段に記憶されている設定情報を、受信した車載装置ＩＤの送信元である車載装置に対し、情報センタ通信手段を介して送信する。そして、車載装置が備える情報取得手段は、携帯機器から情報センタに送信され、情報センタに記憶されている設定情報を、料金支払処理を実行する際に、情報センタから路側装置を経由して受信することにより、外部から設定情報を取得する。
【００４３】
このような構成を有する場合、車載装置は、料金支払処理を実行する際に、料金支払処理を実行するために用いられる無線通信機能により路側装置と無線通信を行い、携帯機器から送信され、情報センタに記憶されている設定情報を、路側装置から受信すれば良い。こうすることにより、情報取得手段は、無線公衆回線網やインターネット等を介して携帯機器から情報を取得する機能を備えていなくても、遠くに存在する携帯機器から設定情報を取得することが可能となる。したがって、車載装置の構成を複雑化することなく、遠く離れた場所から車載装置の支払禁止条件を設定することが可能となる。
【００４４】
また、車載装置は、次のようにして携帯機器に情報を送信しても良い。
請求項１３に記載の料金支払システムは、情報センタは、携帯機器に対し情報を送信する情報センタ送信手段を更に備える。そして、車載装置が備える送信手段は、送信手段から路側装置に対し無線通信を介して情報を送信し、そして、路側装置において、送信手段から受信した情報を情報センタに対し送信し、更に、情報センタにおいて、情報センタ通信手段が路側装置から受信した情報を、情報センタ送信手段が携帯機器に送信することにより、車載装置に情報を送信する。そして、携帯機器通信手段は、車載装置が路側装置に対し無線通信を介して送信した情報を、路側装置と、情報センタとを経由して受信することにより、車載装置から情報を受信する。
【００４５】
このような構成を有する場合であっても、車載装置から携帯機器に支払禁止条件を送信することができる。
また、請求項１４に記載の料金支払システムは、車載装置が備える制御手段は、料金支払手段が料金支払処理を実行する際に、支払禁止条件送信処理を実行する。
【００４６】
このような構成を有する場合、車載装置は、料金支払処理を実行する際、料金支払処理を実行するために用いられる無線通信機能により路側装置と無線通信を行い、支払禁止条件等を携帯機器に対し送信すれば良い。こうすることにより、送信手段は、公衆回線網やインターネット等を介して携帯機器に情報を送信する機能を備えていなくても、遠くに存在する携帯機器から設定情報を取得することが可能となる。したがって、車載装置の構成を複雑化することなく、遠く離れた場所に存在する車載装置に、支払禁止条件等を通知することが可能となる。
【００４７】
また、携帯機器が備える携帯機器制御手段は、車載装置から支払禁止情報等を受信した際、報知手段を介して支払禁止条件等を受信した旨をユーザに報知すると良い。車載装置から、路側装置、及びカードセンタを介して携帯機器に支払禁止条件等を送信する場合、車載装置にて料金支払処理が行われる際に、携帯機器に対して支払禁止条件等が送信される。したがって、携帯機器を所持するユーザが車載機器から離れた場所にいる場合、携帯機器が支払禁止条件等を受信したことに気がつかない可能性がある。したがって、携帯機器が、支払禁止条件等を受信した旨をユーザに報知することにより、料金支払システムの利便性を向上させることができる。
【００４８】
ところで、請求項７から請求項１４のいずれかに記載の料金支払システムの車載装置を、単体で構成して市場に流通させても良い。また、請求項７から請求項１４のいずれかに記載の料金支払システムの携帯機器を、単体で構成して市場に流通させても良い。また、請求項１１から請求項１４のいずれかに記載の料金支払システムの情報センタを、単体で構成して市場に流通させても良い。請求項７から請求項１０に記載した車載装置又は携帯機器を単体で構成しても、対応する車載装置又は携帯機器と組み合わせることにより、上述した効果を奏する。また、請求項１１から請求項１４に記載した車載装置、携帯機器、又は情報センタを単体で構成しても、対応する車載装置、携帯機器、情報センタ、又は路側装置と組み合わせることにより、上述した効果を奏する。
また、請求項１８に記載されているように、路側装置と無線通信を行うことにより、カード情報に基づき購入する商品の料金の支払いを行う料金支払処理を実行する車載装置と、車載装置に対し情報を送信する携帯機器とを有する料金支払システムを構成しても良い。
この車載装置は、カード情報を特定する情報であるカードＩＤを有する１又は２以上のカード情報を記憶するカード情報記憶手段と、カード情報記憶手段に記憶されているカード情報に基づき料金支払処理を実行する料金支払手段と、料金支払処理の実行を禁止する条件である支払禁止条件を記憶している支払禁止条件記憶手段と、を備えても良い。
さらに、この車載装置は、支払禁止条件記憶手段が記憶している支払禁止条件が成立した場合、料金支払手段に対し料金支払処理の実行を禁止する支払禁止処理を実行する制御手段と、支払禁止条件を設定するための情報である設定情報を外部から取得する情報取得手段と、を備えても良い。
また、制御手段は、情報取得手段が外部から取得した設定情報に基づき支払禁止条件を設定し、設定した支払禁止条件を支払禁止条件記憶手段に記憶させる支払禁止条件設定処理を実行しても良い。
一方、携帯機器は、車載装置に対し情報を送信する携帯機器通信手段と、ユーザの要求を受け付ける携帯機器受付手段と、携帯機器受付手段を介してユーザから受け付けた要求に基づき、支払禁止条件を設定するための情報である設定情報を生成し、生成した設定情報を、携帯機器通信手段を介して車載装置に送信する携帯機器制御手段とを備えても良い。
また、車載装置が備える情報取得手段は、携帯機器が送信した設定情報を受信することにより、外部から設定情報を取得し、車載装置は、携帯機器に対し情報を送信する送信手段を更に備え、制御手段は、支払禁止条件記憶手段に記憶されている支払禁止条件を、送信手段を介して携帯機器に送信する支払禁止条件送信処理を実行しても良い。
さらに、携帯機器は、種々の情報を表示する携帯機器表示手段と、種々の情報を記憶する携帯機器記憶手段とを更に備え、携帯機器通信手段は、更に、車載装置から情報を受信することができ、携帯機器制御手段は、携帯機器通信手段が車載装置から受信した支払禁止条件を携帯機器記憶手段に記憶させると共に、携帯機器表示手段に表示させても良い。
そして、料金支払システムは、路側装置と、情報センタと、を更に有し、路側装置は、車載装置と無線通信を行うと共に、情報センタと通信を行い、情報センタは、携帯機器と通信を行い、携帯機器通信手段は、携帯機器通信手段から情報センタに対し情報を送信し、そして、情報センタにおいて、携帯機器通信手段から受信した情報を路側装置に対し送信し、更に、路側装置において、情報センタから受信した情報を、無線通信を介して車載装置の送信することにより、前記車載装置に情報を送信しても良い。
また、情報取得手段は、携帯機器が情報センタに対し送信し、更に、情報センタが路側装置に送信した設定情報を、路側装置から無線通信を介して受信することにより、外部から設定情報を取得しても良い。
このような構成によれば、車載装置に記憶されているカード情報に基づき、無制限に料金の支払いが行われてしまうといった事態を防ぐことができると共に、容易に支払禁止条件を設定することや、携帯機器を用いた支払禁止条件を設定が可能となる。
また、携帯機器を用いて車載装置にて設定されている支払禁止条件を確認することが可能となるため、携帯機器から車載装置に設定されている支払禁止条件を管理することができ、料金支払システムの利便性を向上させることができる。また、携帯機器から車載装置に設定情報を送信し、支払禁止条件を設定することができる。
また、請求項１９〜２４に記載されているように、このような料金支払システムに対し、請求項８〜１０，１２〜１４に記載の構成を加えることで、これらの請求項について先に述べたものと同様の効果が得られる。
さらに、請求項２５〜２７に記載されているように、このような料金支払システムの車載装置，携帯機器，情報センタを単体で市場に流通させてもよく、このような場合であっても、対応する車載装置、携帯機器、情報センタ、又は路側装置と組み合わせることにより、上述した効果を奏する。
【発明を実施するための最良の形態】
【００４９】
以下、本発明の実施形態について図面を用いて説明する。尚、本発明の実施の形態は、下記の実施形態に何ら限定されることはなく、本発明の技術的範囲に属する限り種々の形態を採りうる。
【００５０】
［構成の説明］
図１は、料金支払システム１の構成を示すブロック図である。料金支払システム１は、車両に搭載された車載装置１０と、ユーザが持ち運び可能な携帯機器３０と、ＥＴＣシステムの料金所ゲートに設置されている路側装置５０と、路側装置５０と通信可能な情報センタ６０とから構成されている。尚、図１には、車載装置１０と、携帯機器３０と、路側装置５０と、情報センタ６０とが一台ずつ記載されているが、実際には、１台又は２台以上の携帯機器３０と、路側装置５０と、情報センタ６０とから構成される。また、情報センタ６０は、１台又は２台以上の路側装置５０と通信可能である。
【００５１】
ここで、車載装置１０と路側装置５０とは、ＤＳＲＣ（Dedicated Short Range Communication：狭域通信）による通信を行い、車載装置１０と携帯機器３０とは、近距離無線通信による通信を行う。
【００５２】
また、携帯機器３０は、携帯電話会社等により提供される無線公衆回線網８０を介して情報センタ６０と通信を行うことができる。また、情報センタ６０と路側装置５０とは、有線通信を行うことができる。そして、携帯機器３０と、車載装置１０とは、無線公衆回線網８０、情報センタ６０、及び路側装置５０を経由して通信を行うことができる。
【００５３】
また、携帯機器３０は、携帯電話会社等により提供される無線公衆回線網８０を介してカードセンタ９０と通信を行うことができる。
また、携帯機器３０には、携帯機器用カード情報が登録されており、携帯機器３０による料金の支払いが可能である。
【００５４】
次に、車載装置１０の詳細について、図２のブロック図を用いて説明する。車載装置１０は、無線アンテナ１１と、ＤＳＲＣ部１２と、ＳＡＭ１３と、非接触通信Ｉ／Ｆ１４と、制御部１５と、ＨＭＩ１６と、記憶部１７とを備える。
【００５５】
無線アンテナ１１は、ＤＳＲＣ用のアンテナである。
ＤＳＲＣ部１２は、無線アンテナ１１を介して、路側装置５０とＤＳＲＣによる情報の送受信を行う部位である。
【００５６】
ＳＡＭ１３は、路側装置５０との通信情報の暗号化・復号化を行う。
非接触通信Ｉ／Ｆ１４は、携帯機器３０と非接触の近距離無線通信を行うためのインターフェースである。尚、接触型のインターフェースであっても良い。
【００５７】
制御部１５は、ＣＰＵ、ＲＯＭ、ＲＡＭ、Ｉ／Ｏ等から構成され、車載装置１０の各部位を統括的に制御する部位である。また、制御部１５は、現在の日付と時刻を特定する時計機能を有している。
【００５８】
ＨＭＩ１６は、人間と装置とのコミュニケーションのためのインターフェース（Human Machine Interface）を提供する部位である。具体的には、操作ボタンやＬＥＤやスピーカ等から構成される。
【００５９】
記憶部１７は、記憶保持動作が不要なデバイス（例えば、フラッシュメモリ）から構成され、各種の情報を記憶することができる。記憶部１７には、料金の支払いに必要な情報である車載装置用カード情報が記憶されている。車載装置用カード情報は、車載装置用カード情報を特定する情報である車載装置用カードＩＤを有している。また、車載装置用カード情報は、車載装置用カードＩＤ以外に、名義人情報、残金情報、カード会社情報等の情報を有していても良い。また、記憶部１７には、この記憶部１７に係る車載装置１０を特定する情報である車載装置ＩＤが記憶されている。また、記憶部１７には、後述する制限情報が記憶されている。
【００６０】
次に、携帯機器３０の詳細について、図３のブロック図を用いて説明する。携帯機器３０は、無線アンテナ３１と、公衆通信部３２と、ＨＭＩ３３と、非接触通信Ｉ／Ｆ３４と、制御部３５と、記憶部３６とを備える。
【００６１】
無線アンテナ３１は、無線公衆回線網８０に無線接続するためのアンテナである。
公衆通信部３２は、無線アンテナ３１を介して無線通信（例えば、ＣＤＭＡ等の通信）を行い、無線公衆回線網８０を介して情報センタ６０又はカードセンタ９０と情報の送受信を行う部位である。
【００６２】
ＨＭＩ３３は、人間と装置とのコミュニケーションのためのインターフェース（Human Machine Interface）を提供する部位である。具体的には、操作ボタンやＬＣＤやスピーカ等から構成される。
【００６３】
非接触通信Ｉ／Ｆ３４は、車載装置１０と非接触の近距離無線通信を行うためのインターフェースである。尚、接触型のインターフェースであっても良い。
制御部３５は、ＣＰＵ、ＲＯＭ、ＲＡＭ、Ｉ／Ｏ等から構成され、携帯機器３０の各部位を統括的に制御する部位である。
【００６４】
記憶部３６は、記憶保持動作が不要なデバイス（例えば、フラッシュメモリ）から構成され、各種の情報を記憶することができる。記憶部３６には、料金の支払いに必要な情報である携帯機器用カード情報が記憶されている。携帯機器用カード情報は、携帯機器用カード情報を特定する情報である携帯機器用カードＩＤを有している。また、携帯機器用カード情報は、携帯機器用カードＩＤ以外に、名義人情報、残金情報、カード会社情報等の情報を有していても良い。また、記憶部３６には、この記憶部３６に係る携帯機器３０を特定する情報である携帯機器ＩＤが記憶されている。また、記憶部３６には、後述する制限情報リストが記憶されている。
【００６５】
次に、路側装置５０の詳細について、図４のブロック図を用いて説明する。路側装置５０は、無線アンテナ５１と、ＤＳＲＣ部５２と、ＳＡＭ５３と、通信部５４と、制御部５５とを備える。
【００６６】
無線アンテナ５１は、ＤＳＲＣ用のアンテナである。
ＤＳＲＣ部５２は、無線アンテナ５１を介して、車載装置１０とＤＳＲＣによる情報の送受信を行う部位である。
【００６７】
ＳＡＭ５３は、車載装置１０との通信情報の暗号化・復号化を行う。
通信部５４は、情報センタ６０と有線通信を行う部位である。
制御部５５は、ＣＰＵ、ＲＯＭ、ＲＡＭ、Ｉ／Ｏ等から構成され、路側装置５０の各部位を統括的に制御する部位である。
【００６８】
次に、情報センタ６０の詳細について、図５のブロック図を用いて説明する。情報センタ６０は、記憶部６１と、通信部６２と、通信部６３と、制御部６４を備える。
記憶部６１は、記憶保持動作が不要なデバイス（例えば、ＨＤＤ）から構成され、各種の情報を記憶することができる。
【００６９】
通信部６２は、路側装置５０と有線通信を行う部位である。
通信部６３は、有線通信により無線公衆回線網８０に接続し、無線公衆回線網８０を介して携帯機器３０と情報の送受信を行う部位である。
【００７０】
制御部６４は、ＣＰＵ、ＲＯＭ、ＲＡＭ、Ｉ／Ｏ等から構成され、情報センタ６０の各部位を統括的に制御する部位である。
［第一実施形態］
［制限情報についての説明］
次に、第一実施形態の料金支払システム１において、車載装置１０の記憶部１７に記憶されている制限情報と、携帯機器３０の記憶部３６に記憶されている制限情報リストについて説明する。
【００７１】
第一実施形態における制限情報とは、車載装置用カード情報に基づく料金の支払いが禁止されているか否かを示す情報や、この車載装置用カード情報に基づく料金の支払いを禁止する条件等を示す情報である。この制限情報は、記憶部１７に記憶されている車載装置用カード情報に対応しており、一つの車載装置用カード情報に対し一つの制限情報が存在する。
【００７２】
図６（ａ）に記載されている表は、記憶部１７に記憶されている制限情報を示しており、この表を構成する行が、制限情報に相当する。
制限情報は、車載装置用カードＩＤ、登録日、支払禁止条件、設定日、処置、状態、及び携帯機器ＩＤという情報から構成される。
【００７３】
車載装置用カードＩＤとは、記憶部１７に記憶されている、対応する車載装置用カード情報を示す情報である。
登録日とは、車載装置用カード情報が記憶部１７に記憶された年月日を示す情報である。
【００７４】
支払禁止条件とは、対応する車載装置用カード情報に基づく料金の支払いを禁止する条件を示す情報である。この条件の具体例として、所定の車載装置用カード情報に基づき支払いを行った金額が所定の金額を超えるという条件や、所定の車載装置用カード情報に基づき支払いを行った回数が所定の回数を超えるという条件や、所定の車載装置用カード情報を車載装置用カード情報記憶手段に記憶させた後、所定の時間が経過するという条件や、所定の車載装置用カード情報を車載装置用カード情報記憶手段に記憶させた後、最初に車載装置が搭載されている車両のエンジンを停止するという条件等を挙げることができる。また、例示した条件のうちの複数を選択し、選択された条件のうちの一つが成立するという条件であっても良いし、例示した条件のうちの複数の条件が同時に成立するという条件であっても良い。尚、条件が存在しない場合、支払禁止条件は空値を示す。
【００７５】
設定日とは、支払禁止条件が設定された年月日を示す情報である。
処置とは、支払禁止条件が成立した際に行われる処理を示す情報であり、“削除”という処置と、“使用禁止”という処置が存在する。“削除”とは、対応する車載装置用カード情報を、記憶部１７から消去という処理である。“使用禁止”とは、車載装置１０の制御部１５は、対応する車載装置用カード情報に基づく料金の支払いを行わないという処理である。
【００７６】
状態とは、対応する車載装置用カード情報に基づく料金の支払いが禁止されているか否かを示す情報であり、料金の支払いが許可されていることを示す“許可”という状態と、料金の支払いが禁止されていることを示す“禁止”という状態が存在する。
【００７７】
携帯機器ＩＤとは、制限情報を設定する際に用いた携帯機器３０を示す情報である。
次に、携帯機器３０の記憶部３６に記憶されている制限情報リストについて説明する。図６（ｂ）は、制限情報リストを説明するための表である。制限情報リストは、車載装置ＩＤという情報と、この車載装置ＩＤが示す車載装置１０に設定されている制限情報からなるレコードから構成される。車載装置ＩＤとは、車載装置１０の車載装置ＩＤを示す情報である。残りの情報は制限情報と同一の情報であるため、説明を省略する。
【００７８】
［動作の説明］
次に、第一実施形態の料金支払システム１の動作について説明する。
（１）第一の支払禁止条件の設定処理について
まず、車載装置１０に車載装置用カード情報を登録させる際に、登録する車載装置用カード情報に基づく料金の支払いを禁止する条件である支払禁止条件を設定する第一の支払禁止条件の設定処理について、図７のシーケンス図を用いて説明する。
【００７９】
Ｓ１０５の車載装置用カード情報発行処理において、携帯機器３０に登録されている携帯機器用カード情報に基づく車載装置用カード情報が車載装置１０に記憶されていない場合、カードセンタ９０は、携帯機器３０と周知の方法により相互認証を行うと共に、携帯機器３０を介して車載装置１０と周知の方法により相互認証を行う。そして、カードセンタ９０は、携帯機器３０、及び車載装置１０との相互認証に成功した場合、携帯機器３０に登録されている携帯機器用カード情報に基づき車載装置用カード情報を生成する。この車載装置用カード情報発行処理の一例として、特願２００６−２４０４９１号の段落「０１３８」から「０１４３」に記載の処理を挙げることができる。
【００８０】
そして、カードセンタ９０は、生成した車載装置用カード情報を、携帯機器３０に送信する（Ｓ１１０）。
Ｓ１１５では、携帯機器３０の制御部３５は、Ｓ１１０にて受信した車載装置用カード情報に対応する制限情報の支払禁止条件の設定と、処置の設定とを、ＨＭＩ３３を介してユーザから受け付けする。そして、制御部３５は、設定された支払禁止条件及び処置と、記憶部３６に記憶されている携帯機器ＩＤとを示す設定情報を生成する。
【００８１】
そして、制御部３５は、車載装置用カード情報と、Ｓ１１５にて生成した設定情報とを、車載装置１０に対し送信する（Ｓ１２０）。
車載装置１０の制御部１５は、携帯機器３０から、車載装置用カード情報と、設定情報とを受信すると、まず、車載装置用カード情報を記憶部１７に記憶させ（Ｓ１２５）、Ｓ１３０に処理を移行する。
【００８２】
Ｓ１３０では、制御部１５は、受信した車載装置用カード情報に対応する制限情報を生成し、記憶部１７に記憶する。具体的には、制御部１５は、Ｓ１２０にて受信した設定情報に基づき、制限情報の支払禁止条件、処置、及び携帯機器ＩＤを設定する。また、制御部１５は、制限情報の車載装置用カードＩＤとして、受信した車載装置用カード情報が有する車載装置用カードＩＤを設定する。また、制御部１５は、制限情報の登録日、及び設定日として、制御部１５が有する時計機能により特定された現在の日時を設定する。また、制御部１５は、制限情報の状態として“許可”を設定する。
【００８３】
そして、制御部１５は、車載装置用カード情報の設定完了、この車載装置用カード情報の制限情報の設定完了、記憶部１７に記憶されている車載装置ＩＤ、及び記憶部１７に記憶されている全ての制限情報を、携帯機器３０に送信する（Ｓ１３５）。
【００８４】
携帯機器３０の制御部３５は、車載装置用カード情報の設定完了、この車載装置用カード情報の制限情報の設定完了、車載装置ＩＤ、及び制限情報を受信すると、新たに受信した車載装置ＩＤと制限情報とに基づき記憶部３６に記憶されている制限情報リストを更新し（Ｓ１４０）、Ｓ１４５に処理を移行する。
【００８５】
Ｓ１４５では、制御部１５は、ＨＭＩ３３を介して、ユーザに対し、車載装置用カード情報の設定完了、及び支払禁止条件等の設定完了を報知し、本処理を終了する。
（２）第二の支払禁止条件の設定処理について
次に、携帯機器３０から、１又は２以上の車載装置用カード情報が登録されている車載装置１０に対し、近距離無線通信により支払禁止条件を設定する第二の支払禁止条件の設定処理について、図８のシーケンス図を用いて説明する。車載装置用カード情報が登録済である車載装置１０は、近距離無線通信により、所定の間隔にて制限情報の設定を受け付ける旨の信号を送信する。携帯機器３０がこの信号を受信すると、車載装置１０に対し、近距離無線通信により応答信号を送信する。この車載装置１０が、この応答信号を受信することにより、本処理が開始される。
【００８６】
車載装置１０の制御部１５は、記憶部１７に記憶されている全ての制限情報を、携帯機器３０に送信する（Ｓ２０５）。
制限情報を受信した携帯機器３０の制御部３５は、受信した１又は２以上の制限情報を、ＨＭＩ３３にて表示し（Ｓ２１０）、Ｓ２１５に処理を移行する。
【００８７】
Ｓ２１５では、制御部３５は、ＨＭＩ３３を介してユーザからＳ２０５にて受信した制限情報の選択を受け付け、選択された制限情報の支払禁止条件の設定と、処置の設定とを受け付ける。そして、制御部３５は、設定された支払禁止条件及び処置と、記憶部３６に記憶されている携帯機器ＩＤとを示す設定情報を生成する。尚、制御部１５は、１又は２以上の制限情報の選択を受け付ける。また、設定情報は、設定された支払禁止条件、及び処置に係る制限情報に対応しており、ここでは、設定された支払禁止条件、及び処置に係る一つの制限情報に対し一つの設定情報が生成される。
【００８８】
そして、制御部３５は、Ｓ２１５にて生成した設定情報を、車載装置１０に対し送信する（Ｓ２２０）。
Ｓ２２５では、制御部１５は、受信した設定情報に基づき、記憶部１７に記憶されている制限情報を更新する。具体的には、制御部１５は、Ｓ２２０にて受信した設定情報に基づき、制限情報の支払禁止条件、処置、及び携帯機器ＩＤを設定する。また、制御部１５は、制限情報の設定日として、制御部１５が有する時計機能により特定された現在の日時を設定する。
【００８９】
そして、制御部１５は、制限情報の更新完了、車載装置ＩＤ、及び制限情報を携帯機器３０に送信する（Ｓ２３０）。
携帯機器３０の制御部３５は、制限情報の更新完了、車載装置ＩＤ、及び制限情報を受信すると、受信した車載装置ＩＤと制限情報とに基づき記憶部３６に記憶されている制限情報リストを更新し（Ｓ２３５）、Ｓ２４０に処理を移行する。
【００９０】
Ｓ２４０では、制御部３５は、ＨＭＩ３３を介して、ユーザに対し、支払禁止条件等の更新完了を報知し、本処理を終了する。
（３）第三の支払禁止条件の設定処理について
次に、携帯機器３０から、１又は２以上の車載装置用カード情報が登録されている車載装置１０に対し、無線公衆回線網８０、情報センタ６０、及び路側装置５０を経由して支払禁止条件等を設定する第三の支払禁止条件の設定処理について、図９のシーケンス図を用いて説明する。この処理では、情報センタ６０は、携帯機器３０にて設定された支払禁止条件等を記憶しておく。そして、支払禁止条件等を設定する車載装置１０が料金所ゲートに侵入し、路側装置５０と通信を開始した際に、情報センタ６０に記憶されている支払禁止条件等が車載装置１０に送信され、制限情報が設定される。ここでは、図９のシーケンス図を用いて、携帯機器３０にて設定された支払禁止条件等を、情報センタ６０に記憶させる処理について説明する。携帯機器３０に対し所定の操作を行った際に、本処理が開始される。
【００９１】
携帯機器３０の制御部３５は、ＨＭＩ３３により記憶部３６に記憶されている制限情報リストを表示し（Ｓ３０５）、Ｓ３１０に処理を移行する。
Ｓ３１０では、制御部３５は、ＨＭＩ３３を介してユーザから制限情報リストのレコードを構成する車載装置ＩＤのうち、いずれか一つの選択を受け付ける。そして、制御部３５は、選択された車載装置ＩＤに係るレコードの選択を、ＨＭＩ３３を介して受け付け、選択されたレコードが有する制限情報の支払禁止条件の設定と、処置の設定とを、ＨＭＩ３３を介して受け付ける。そして、制御部３５は、設定された支払禁止条件、及び処置と、記憶部３６に記憶されている携帯機器ＩＤとを示す設定情報を生成する。尚、設定情報は、設定を受け付けた支払禁止条件、及び処置に係る制限情報に対応しており、ここでは、設定された支払禁止条件、及び処置に係る一つの制限情報に対し一つの設定情報が生成される。
【００９２】
そして、制御部３５は、Ｓ３１０にて選択された車載装置１０の車載装置ＩＤと、Ｓ３１０にて生成した設定情報とを関連付けて情報センタ６０に対し送信する（Ｓ３１５）。
情報センタ６０の制御部６４は、設定情報と車載装置ＩＤとを携帯機器３０から受信すると、受信した車載装置ＩＤと設定情報とを、関連付けを保持した状態で記憶部６１に記憶させる（Ｓ３２０）。
【００９３】
（４）ＥＴＣシステムを利用する際に行われる処理について
次に、車載装置１０が搭載された車両が有料道路を走行する際に料金支払システム１にて行われる処理について、図１０、及び図１１のシーケンス図を用いて説明する。図１０のシーケンス図は、車載装置１０が搭載されている車両が有料道路の走行を開始する際に行われる処理であり、図１１のシーケンス図は、車載装置１０が搭載されている車両が、有料道路の走行を終了する際に行われる処理である。
【００９４】
まず、有料道路の走行を開始するため、料金所ゲートを通過する際に行われる処理について図１０のシーケンス図を用いて説明する。車載装置１０が、有料道路の入口である料金所ゲートに備え付けられた路側装置５０と通信可能なエリアに入った際に、本処理が開始される。尚、この処理は、第三の支払禁止条件の設定処理にて、携帯機器３０にて設定を受け付けた支払禁止条件等を、車載装置１０に設定する処理である。また、理解を容易にするため、ＤＳＲＣの通信手順のうち、広く知られた一般的な部分についての説明は省略する。
【００９５】
車載装置１０の制御部１５は、路側装置５０からＢＳＴ（Beacon Service Table）を受信すると（Ｓ４０５）、状態が“許可”である制限情報が記憶部１７に記憶されているか否かをチェックし、料金の支払いが可能である車載装置用カード情報が記憶部１７に記憶されているか否かを判定する（Ｓ４１０）。状態が“許可”である制限情報が記憶部１７に記憶されていない場合（Ｓ４１０：Ｎｏ）、車載装置１０は料金の支払いを行わず、本処理は終了する。状態が“許可”である制限情報に対応する車載装置用カード情報が記憶部１７に記憶されている場合（Ｓ４１０：Ｙｅｓ）、制御部１５は、ＶＳＴ（Vehicle Service Table）を路側装置５０に対し送信する（Ｓ４１５）。
【００９６】
次に、Ｓ４２０において、車載装置１０と、路側装置５０と、情報センタ６０とは、料金所ゲート処理を実行し、状態が“許可”である制限情報の車載装置用カード情報に基づき、周知の方法により料金の支払いを行う。
【００９７】
料金所ゲート処理の終了後、車載装置１０の制御部１５は、記憶部１７に記憶されている車載装置ＩＤを路側装置５０に送信する。路側装置５０の制御部５５は、車載装置１０から車載装置ＩＤを受信すると、受信した車載装置ＩＤを情報センタ６０に送信する（Ｓ４２５）。
【００９８】
情報センタ６０の制御部６４は、車載装置ＩＤを受信すると、支払禁止条件等を設定すべく携帯機器３０から受信し、記憶部６１に記憶されている車載装置ＩＤと、受信した車載装置ＩＤとが一致するか否か判定する（Ｓ４３０）。受信した車載装置ＩＤが、携帯機器３０から受信し、記憶部６１に記憶されている車載装置ＩＤと一致しない場合（Ｓ４３０：Ｎｏ）、本処理は終了する。
【００９９】
受信した車載装置ＩＤが、携帯機器３０から受信し、記憶部６１に記憶されている車載装置ＩＤと一致する場合（Ｓ４３０：Ｙｅｓ）、制御部６４は、この車載装置ＩＤに関連付けて記憶部６１に記憶されている設定情報を、この車載装置ＩＤの送信元である路側装置５０に送信する。路側装置５０の制御部５５は、情報センタ６０から設定情報を受信すると、受信した設定情報を車載装置１０に送信する（Ｓ４３５）。
【０１００】
Ｓ４４０では、制御部１５は、受信した設定情報に基づき、記憶部１７に記憶されている制限情報を更新する。具体的には、制御部１５は、Ｓ４３５にて受信した設定情報に基づき、制限情報の支払禁止条件、処置、及び携帯機器ＩＤを設定する。また、制御部１５は、制限情報の設定日として、制御部１５が有する時計機能により特定された現在の日時を設定する。尚、この時、制御部１５は、ＨＭＩ１６を介してユーザに、制限情報を設定した旨を報知しても良い。
【０１０１】
そして、車載装置１０の制御部１５は、制限情報の更新完了と、記憶部１７に記憶されている車載装置ＩＤ、及び制限情報とを路側装置５０に送信する（Ｓ４４５）。尚、車載装置１０が、路側装置５０と通信可能なエリアに存在する間に、Ｓ４４５までの処理が行われる。
【０１０２】
路側装置５０の制御部５５は、車載装置１０から制限情報の更新完了、車載装置ＩＤ、及び制限情報を受信すると、受信した制限情報の更新完了、車載装置ＩＤ、及び制限情報を、情報センタ６０に送信する（Ｓ４５０）。
【０１０３】
情報センタ６０の制御部６４は、路側装置５０から制限情報の更新完了、車載装置ＩＤ、及び制限情報を受信すると、受信した制限情報の携帯機器ＩＤが示す全ての携帯機器３０を、これらの情報の送信先として特定する（Ｓ４５５）。
【０１０４】
そして、制御部６４は、Ｓ４５５にて特定した携帯機器３０に、制限情報の更新完了、車載装置ＩＤ、及び制限情報を送信する（Ｓ４６０）。
携帯機器３０の制御部３５は、情報センタ６０から制限情報の更新完了、車載装置ＩＤ、及び制限情報を受信すると、新たに受信した車載装置ＩＤ、及び制限情報に基づき記憶部３６に記憶されている制限情報リストを更新し（Ｓ４６５）、Ｓ４７０に処理を移行する。
【０１０５】
Ｓ４７０では、制御部３５は、ＨＭＩ３３を介して、ユーザに対し、支払禁止条件等の設定完了を報知し、本処理は終了する。
次に、車載装置１０が搭載されている車両が、有料道路の走行を終え、料金所ゲートを通過する際に行われる処理について、図１１のシーケンス図を用いて説明する。車載装置１０が、有料道路の出口である料金所ゲートに備え付けられた路側装置５０と通信可能なエリアに入った際に、本処理が開始される。尚、理解を容易にするため、ＤＳＲＣの通信手順のうち、広く知られた一般的な部分についての説明は省略する。
【０１０６】
路側装置５０の制御部５５は、車載装置１０に対し、出口ゲート通過を送信する（Ｓ５０５）。
車載装置１０の制御部１５は、出口ゲート通過を受信すると、記憶部１７に記憶されている制限情報の支払禁止条件が成立しているか判定する（Ｓ５１０）。制限情報の支払禁止条件が成立している場合（Ｓ５１０：Ｙｅｓ）、制御部１５は、Ｓ５１５に処理を移行する。制限情報の支払禁止条件が成立していない場合（Ｓ５１０：Ｎｏ）、本処理は終了する。
【０１０７】
Ｓ５１５では、制御部１５は、支払禁止条件が成立した制限情報に対応する車載装置用カードＩＤと、この制限情報の処置とを示す禁止処理情報を生成し、ＲＡＭに一時的に保存する。そして、制御部１５は、支払禁止条件が成立した制限情報の処置が“使用禁止”である場合、この制限情報の状態に“禁止”を設定し、この制限情報に対応する車載装置用カード情報に基づく料金の支払いを禁止する。支払禁止条件が成立した制限情報の処置が“削除”である場合、この制限情報に対応する車載装置用カード情報を記憶部１７から消去すると共に、この制限情報を記憶部１７から消去し、Ｓ５２０に処理を移行する。
【０１０８】
Ｓ５２０では、制御部１５は、Ｓ５１５にてＲＡＭに一時的に記憶した禁止処理情報に基づき、支払禁止条件が成立した制限情報に対応する車載装置用カードＩＤと、この車載装置用カードＩＤが示す車載装置用カード情報に対して行った処置を、ＨＭＩ１６を介してユーザに報知する。
【０１０９】
そして、車載装置１０の制御部１５は、Ｓ５１５にてＲＡＭに一時的に記憶した禁止処理情報、記憶部１７に記憶されている車載装置ＩＤ、及び制限情報を路側装置５０に送信する（Ｓ５２５）。尚、車載装置１０が、路側装置５０と通信可能なエリアに存在する間に、Ｓ５２５までの処理が行われる。
【０１１０】
路側装置５０の制御部５５は、車載装置１０から禁止処理情報、車載装置ＩＤ、及び制限情報を受信すると、受信した禁止処理情報、車載装置ＩＤ、及び制限情報を情報センタ６０に送信する（Ｓ５３０）。
【０１１１】
情報センタ６０の制御部６４は、路側装置５０から禁止処理情報、車載装置ＩＤ、及び制限情報を受信すると、受信した制限情報の携帯機器ＩＤが示す全ての携帯機器３０を、これらの情報の送信先として特定する（Ｓ５３５）。
【０１１２】
そして、制御部６４は、Ｓ５３５にて特定した携帯機器３０に、禁止処理情報、車載装置ＩＤ、及び制限情報を送信する（Ｓ５４０）。
携帯機器３０の制御部３５は、情報センタ６０から禁止処理情報、車載装置ＩＤ、及び制限情報を受信すると、受信した車載装置ＩＤ、及び制限情報に基づき記憶部３６に記憶されている制限情報リストを更新し（Ｓ５４５）、Ｓ５５０に処理を移行する。
【０１１３】
Ｓ５５０では、制御部３５は、情報センタ６０から受信した禁止処理情報に基づき、条件が成立した支払禁止条件に係る制限情報に対応する車載装置用カードＩＤと、この車載装置用カードＩＤが示すカード情報に対して車載装置１０にて行われた処置を、ＨＭＩ３３を介してユーザに報知する。そして、本処理は終了する。
【０１１４】
尚、ここでは、一例として、車載装置１０にて料金の支払いを行ったサービスの提供が終了した際に、車載装置用カード情報に基づく料金の支払いを禁止する処理が行われている。しかし、購入するサービスの提供サービス開始時や、購入した商品の料金を支払った後に実行しても良い。また、特定の日時に行っても良いし、定期的に行っても良いし、車載装置が搭載されている車両のエンジンを始動した際や、エンジンを停止した際に行っても良い。
【０１１５】
［効果］
第一実施形態の料金支払システム１によれば、車載装置１０は、支払禁止条件が示す条件が成立した場合、支払禁止条件に係る制限情報に対応する車載装置用カード情報に基づく料金の支払いを禁止するか、若しくはこの車載装置用カード情報を消去する（Ｓ５１５）。したがって、車載装置１０に記憶されている車載装置用カード情報に基づき、無制限に料金の支払いが行われてしまうといった事態を防ぐことができる。また、料金の支払いを禁止された車載装置用カード情報を消去することにより、車載装置１０の安全性を向上させることができる。
【０１１６】
また、このとき、車載装置１０は、車載装置用カード情報に基づく料金の支払いを禁止等した旨をユーザに報知する（Ｓ５２０）。したがって、ユーザは、車載装置１０に記憶されている車載装置用カード情報に基づき料金の支払いを行うことができるか否かを知ることが可能となり、車載装置１０の利便性が向上する。
【０１１７】
また、車載装置１０は、携帯機器３０を介して支払禁止条件等の設定を受け付ける（Ｓ１１５）。したがって、ユーザは、容易に支払禁止条件を設定することが可能となる。
さらに、携帯機器３０は、車載装置１０から受信した制限情報をユーザに表示し（Ｓ２１０、Ｓ３０５）、ユーザは、車載装置１０に設定されている制限情報を確認しながら支払禁止条件等を設定することができる（Ｓ２１５、Ｓ３１０）。したがって、ユーザは、携帯機器３０から車載装置１０に設定されている制限情報を管理することが可能となり、料金支払システム１の利便性を向上させることができる。
【０１１８】
また、携帯機器３０に記憶されている制限情報リストは、複数の車載装置１０から受信した制限情報から構成されており、ユーザは、１台の携帯機器３０にて複数の車載装置１０の制限情報を管理することができる。料金支払システム１の利便性を向上させることができる。
【０１１９】
また、制限情報は、車載装置１０に記憶されている車載装置用カード情報毎に設けられており、ユーザは、車載装置用カード情報毎に支払禁止条件等を設定することが可能である。また、制限情報には、対応する車載装置用カード情報に基づく料金の支払いが可能であるか否かを示す情報を有しており、ユーザは、携帯機器３０にて車載装置１０に記憶されている車載装置用カード情報に基づく料金の支払いが可能であるか否かを確認することができる。したがって、料金支払システム１の利便性を向上させることができる。
【０１２０】
また、料金支払システム１では、携帯機器３０にて設定された支払禁止条件等を、無線公衆回線網８０、情報センタ６０、及び路側装置５０を経由して、車載装置１０に設定する（Ｓ３１５、Ｓ４３５）。また、料金支払システム１では、車載装置１０に設定されている制限情報を、路側装置５０、情報センタ６０、及び無線公衆回線網８０を介して携帯機器３０に送信する（Ｓ４４５、Ｓ４５０、Ｓ４５５、Ｓ４６０）。つまり、車載装置１０は、無線公衆回線網８０やインターネット等を介して携帯機器３０と通信を行わなくても、遠くに存在する携帯機器３０から設定情報を取得することが可能となる。したがって、車載装置１０の構成を複雑化することなく、遠く離れた場所から携帯機器３０を用いて車載装置１０の支払禁止条件を設定することが可能となる。
【０１２１】
［第二実施形態］
［制限情報についての説明］
第二実施形態では、車載装置は、第一実施形態とは異なる構成の制限情報を参照して車載装置用カード情報に基づく料金の支払いに制限をかける。第二実施形態の料金支払システムは、第一実施形態の料金支払システムと同一のハードウェア構成を有している。したがって、第一実施形態の説明に用いた図１から図５に記載のブロック図を用いて、第二実施形態にて行われる処理について説明する。
【０１２２】
第二実施形態の料金支払システム１において、車載装置１０の記憶部１７に記憶されている制限情報と、携帯機器３０の記憶部３６に記憶されている制限情報リストについて説明する。
【０１２３】
第二実施形態における制限情報とは、所定の種類の商品を購入する際の料金の支払いが禁止されているか否かを示す情報や、所定の種類の商品の購入を禁止する条件等を示す情報である。この制限情報は、車載装置１０が料金の支払いを行う商品の種類に対応しており、一つの商品の種類に対し一つの制限情報が存在する。
【０１２４】
図１２（ａ）に記載されている表は、記憶部１７に記憶されている制限情報を示しており、この表を構成する行が、制限情報に相当する。
制限情報は、商品種別、支払禁止条件、設定日、状態、及び携帯機器ＩＤという情報から構成される。
【０１２５】
商品種別とは、制限情報に対応する商品の種類を示す情報である。
支払禁止条件とは、対応する商品の種類に属する商品に対する料金の支払いを禁止する条件を示す。具体例として、ある商品の種類に属する商品に対する料金の支払いを行った金額が所定の金額を超えるという条件や、ある商品の種類に属する商品に対する料金の支払いを行った回数が所定の回数を超えるという条件を挙げることができる。また、例示した条件のうちの複数を選択し、選択された条件のうちの一つが成立するという条件であっても良いし、例示した条件のうちの複数の条件が同時に成立するという条件であっても良い。尚、条件が存在しない場合、支払禁止条件は空値を示す。
【０１２６】
設定日とは、支払禁止条件が設定された年月日を示す情報である。
状態とは、対応する商品の種類に属する商品に対する料金の支払いが禁止されているか否かを示す情報であり、料金の支払いが許可されていることを示す“許可”という状態と、料金の支払いが禁止されていることを示す“禁止”という状態が存在する。
【０１２７】
携帯機器ＩＤとは、制限情報を設定する際に用いた携帯機器３０を示す情報である。
次に、携帯機器３０の記憶部３６に記憶されている制限情報リストについて説明する。図１２（ｂ）は、制限情報リストを説明するための表である。制限情報リストは、車載装置ＩＤという情報と、この車載装置ＩＤが示す車載装置１０に設定されている制限情報からなるレコードから構成される。車載装置ＩＤとは、車載装置１０の車載装置ＩＤを示す情報である。残りの情報は制限情報と同一の情報であるため、説明を省略する。
【０１２８】
［動作の説明］
（１）有料道路の走行を開始する際に行われる処理について
まず、第二実施形態の料金支払システム１において、車載装置１０が搭載された車両が有料道路の走行を開始する際に行われる処理について、図１３のシーケンス図を用いて説明する。車載装置１０が、有料道路の入口である料金所ゲートに備え付けられた路側装置５０と通信可能なエリアに入った際に、本処理が開始される。尚、理解を容易にするため、ＤＳＲＣの通信手順のうち、広く知られた一般的な部分についての説明は省略する。
【０１２９】
車載装置１０の制御部１５は、路側装置５０からＢＳＴ（Beacon Service Table）を受信すると（Ｓ６０５）、記憶部１７に記憶されている制限情報のうち、商品種別が“ＥＴＣ”である制限情報の状態が“許可”となっているか否か判定する（Ｓ６１０）。この制限情報の状態が“禁止”となっている場合（Ｓ６１０：Ｎｏ）、本処理は終了する。この制限情報の状態が“許可”となっている場合場合（Ｓ６１０：Ｙｅｓ）、制御部１５は、ＶＳＴ（Vehicle Service Table）を路側装置５０に対し送信する（Ｓ６１５）。
【０１３０】
次に、Ｓ６２０において、車載装置１０と、路側装置５０と、情報センタ６０とは、料金所ゲート処理を実行し、周知の方法により、車載装置１０の記憶部１７に記憶されている車載装置用カード情報に基づき、料金の支払いを行う。
【０１３１】
料金所ゲート処理の終了後、車載装置１０の制御部１５は、記憶部１７に記憶されている制限情報の支払禁止条件が成立しているか判定する（Ｓ６２５）。この支払禁止条件が成立している制限情報が存在する場合（Ｓ６２５：Ｙｅｓ）、制御部１５は、Ｓ６３０に処理を移行する。この支払禁止条件が成立している制限情報が存在しない場合（Ｓ６２５：Ｎｏ）、本処理は終了する。
【０１３２】
Ｓ６３０では、制御部１５は、支払禁止条件が成立した制限情報の状態に“禁止”を設定し、この制限情報の商品種別について、記憶部１７に記憶されている車載装置用カード情報に基づく料金の支払いを禁止し、Ｓ６３５に処理を移行する。
【０１３３】
Ｓ６３５では、制御部１５は、ＨＭＩ１６を介してユーザに、支払禁止条件が成立した制限情報の商品種別を報知すると共に、この商品種別について車載装置用カード情報に基づく料金の支払いを禁止した旨を報知する。
【０１３４】
そして、車載装置１０の制御部１５は、記憶部１７に記憶されている車載装置ＩＤと、Ｓ６３０にて料金の支払いを禁止した商品種別と、制限情報とを路側装置５０に送信する（Ｓ６４０）。尚、車載装置１０が、路側装置５０と通信可能なエリアに存在する間に、Ｓ６４０までの処理が行われる。
【０１３５】
路側装置５０の制御部５５は、車載装置１０から車載装置ＩＤ、商品種別、及び制限情報を受信すると、受信した車載装置ＩＤ、商品種別、及び制限情報を情報センタ６０に送信する（Ｓ６４５）。
【０１３６】
情報センタ６０の制御部６４は、路側装置５０から車載装置ＩＤ、商品種別、及び制限情報を受信すると、受信した制限情報の携帯機器ＩＤが示す全ての携帯機器３０を、これらの情報の送信先として特定する（Ｓ６５０）。
【０１３７】
そして、制御部５５は、Ｓ６５０にて特定した携帯機器３０に、車載装置ＩＤ、商品種別、及び制限情報を送信する（Ｓ６５５）。
携帯機器３０の制御部３５は、情報センタ６０から車載装置ＩＤ、商品種別、及び制限情報を受信すると、受信した車載装置ＩＤ、及び制限情報に基づき記憶部３６に記憶されている制限情報リストを更新し（Ｓ６６０）、Ｓ６６５に処理を移行する。
【０１３８】
Ｓ６６５では、制御部３５は、車載装置ＩＤが示す車載装置１０において、情報センタ６０から受信した商品種別に対する料金の支払いが禁止された旨を、ＨＭＩ３３を介してユーザに報知する。そして、本処理は終了する。
【０１３９】
（２）第四の支払禁止条件の設定処理について
次に、携帯機器３０から車載装置１０に対し、近距離無線通信により支払禁止条件を設定する第四の支払禁止条件の設定処理について説明する。尚、この処理は、第一実施形態における第二の支払禁止条件の設定処理とほぼ同様の処理であり、ここでは、図８のシーケンス図を用いて、第一実施形態における第二の支払禁止条件の設定処理との相違点についてのみ説明する。
【０１４０】
第一実施形態の第二の支払禁止条件の設定処理では、Ｓ２１５において、制御部３５は、ＨＭＩ３３を介してユーザからＳ２０５にて受信した制限情報の選択を受け付け、選択された制限情報の支払禁止条件の設定と、処置の設定とを受け付ける。そして、制御部３５は、設定された支払禁止条件及び処置と、記憶部３６に記憶されている携帯機器ＩＤとを示す設定情報を生成する。尚、制御部１５は、１又は２以上の制限情報の選択を受け付ける。また、設定情報は、設定された支払禁止条件、及び処置に係る制限情報に対応しており、ここでは、設定された支払禁止条件、及び処置に係る一つの制限情報に対し一つの設定情報が生成される。一方、第四の支払禁止条件の設定処理では、Ｓ２１５において、制御部３５は、ＨＭＩ３３を介してユーザからＳ２０５にて受信した制限情報の選択を受け付け、選択された制限情報の支払禁止条件の設定を受け付ける。そして、制御部３５は、設定された支払禁止条件と、記憶部３６に記憶されている携帯機器ＩＤとを示す設定情報を生成する。尚、制御部１５は、１又は２以上の制限情報の選択を受け付ける。また、設定情報は、設定された支払禁止条件に係る制限情報に対応しており、ここでは、設定された支払禁止条件に係る一つの制限情報に対し一つの設定情報が生成される。
【０１４１】
また、第一実施形態の第二の支払禁止条件の設定処理では、Ｓ２２５において、制御部１５は、受信した設定情報に基づき、記憶部１７に記憶されている制限情報を更新する。具体的には、制御部１５は、Ｓ２２０にて受信した設定情報に基づき、制限情報の支払禁止条件、処置、及び携帯機器ＩＤを設定する。また、制御部１５は、制限情報の設定日として、制御部１５が有する時計機能により特定された現在の日時を設定する。一方、第四の支払禁止条件の設定処理では、Ｓ２２５において、制御部１５は、受信した設定情報に基づき、記憶部１７に記憶されている制限情報を更新する。具体的には、制御部１５は、Ｓ２２０にて受信した設定情報に基づき、制限情報の支払禁止条件、及び携帯機器ＩＤを設定する。また、制御部１５は、制限情報の設定日として、制御部１５が有する時計機能により特定された現在の日時を設定する。
【０１４２】
［効果］
第二実施形態の料金支払システム１によれば、車載装置１０は、支払禁止条件が示す条件が成立した場合、支払禁止条件に対応する商品種別に対する料金の支払いを禁止する（Ｓ６３０）。したがって、車載装置１０に記憶されている車載装置用カード情報に基づき、無制限に料金の支払いが行われてしまうといった事態を防ぐことができる。
【０１４３】
また、このとき、車載装置１０は、車載装置用カード情報に基づく料金の支払いを禁止等した旨をユーザに報知する（Ｓ６３５）。したがって、ユーザは、車載装置１０に記憶されている車載装置用カード情報に基づき料金の支払いを行うことができるか否かを知ることが可能となり、車載装置１０の利便性が向上する。
【０１４４】
制限情報は、車載装置１０にて料金の支払いが可能である商品種別毎に設けられており、ユーザは、商品種別毎に支払禁止条件等を設定することができる。したがって、ユーザは、商品種別の性質等に応じて支払禁止条件を設定することが可能となり、車載装置１０の利便性が向上する。
【０１４５】
また、第一実施形態の料金支払システム１と同様に、ユーザは、車載装置１０に設定されている制限情報を確認しながら支払禁止条件等を設定することができる（Ｓ２１５）。したがって、ユーザは、携帯機器３０から車載装置１０に設定されている制限情報を管理することが可能となり、料金支払システム１の利便性を向上させることができる。
【０１４６】
［他の実施形態］
（１）車載装置１０の制御部１５は、ＨＭＩ１６にて受け付けた操作に基づき、記憶部１７に記憶されている制限情報を設定しても良いし、ＨＭＩ１６にて受け付けた操作に基づき、記憶部１７に記憶されている制限情報を削除しても良い。また、ＨＭＩ１６はＬＣＤ等を更に備え、制御部１５は、記憶部１７に記憶されている制限情報を、ＨＭＩ１６を介して表示しても良い。こうすることにより、車載装置１０の利便性が向上する。
【０１４７】
（２）車載装置１０の制御部１５は、ＨＭＩ１６にて受け付けた操作に基づき、記憶部１７に記憶されている車載装置用カード情報を消去しても良い。こうすることにより、車載装置１０の利便性が向上する。
【０１４８】
［特許請求の範囲との対応］
上記実施形態の説明で用いた用語と、特許請求の範囲の記載に用いた用語との対応を示す。
【０１４９】
無線アンテナ１１と、ＤＳＲＣ部１２と、制御部１５とが、料金支払手段に相当し、無線アンテナ１１とＤＳＲＣ部１２とが、情報取得手段、及び、送信手段に相当し、非接触通信Ｉ／Ｆ１４が、情報取得手段、及び、送信手段に相当し、制御部１５が、制御手段に相当し、ＨＭＩ１６が、報知手段、及び、受付手段に相当し、記憶部１７が、カード情報記憶手段、支払禁止条件記憶手段、及び、車載装置ＩＤ記憶手段に相当する。
【０１５０】
また、車載装置用カード情報が、カード情報に相当し、車載装置用カードＩＤが、カードＩＤに相当し、制限情報の支払禁止条件が、支払禁止条件に相当し、制限情報の車載装置用カードＩＤと状態とが、支払禁止情報に相当する。
【０１５１】
また、ＨＭＩ３３が、携帯機器受付手段、及び、携帯機器表示手段に相当し、制御部３５が、携帯機器制御手段に相当し、記憶部３６が、携帯機器記憶手段に相当し、非接触通信Ｉ／Ｆ３４が、携帯機器通信手段に相当し、無線アンテナ３１と、公衆通信部３２とが、携帯機器通信手段に相当する。
【０１５２】
また、記憶部６１が、情報センタ記憶手段に相当し、通信部６２が、情報センタ通信手段に相当し、通信部６３が、情報センタ受信手段、及び、情報センタ送信手段に相当し、制御部６４が、情報センタ制御手段に相当する。
【０１５３】
また、Ｓ４２０にて車載装置１０で行われる処理と、Ｓ６２０にて車載装置１０で行われる処理とが、料金支払処理に相当し、Ｓ５１５と、Ｓ６３０とが、支払禁止処理に相当し、Ｓ１３０と、Ｓ２２５と、Ｓ４４０とが、支払禁止条件設定処理に相当し、Ｓ１３５と、Ｓ２３０と、Ｓ４４５と、Ｓ５２５と、Ｓ６４０とが、支払禁止条件送信処理に相当する。
【図面の簡単な説明】
【０１５４】
【図１】料金支払システム１の構成を示すブロック図である。
【図２】車載装置１０の構成を示すブロック図である。
【図３】携帯機器３０の構成を示すブロック図である。
【図４】路側装置５０の構成を示すブロック図である。
【図５】情報センタ６０の構成を示すブロック図である。
【図６】第一実施形態の制限情報、及び制限情報リストを示す表である。
【図７】車載装置用カード情報を登録させる際に、支払禁止条件等を設定する処理を説明するためのシーケンス図である。
【図８】近距離無線通信により支払禁止条件を設定する処理を説明するためのシーケンス図である。
【図９】無線公衆回線網８０等を経由して支払禁止条件を設定する処理を説明するためのシーケンス図である。
【図１０】車載装置１０が搭載されている車両が、有料道路の走行を開始する際に行われる処理について説明するためのシーケンス図である。
【図１１】車載装置１０が搭載されている車両が、有料道路の走行を終了する際に行われる処理について説明するためのシーケンス図である。
【図１２】第二実施形態の制限情報、及び制限情報リストを示す表である。
【図１３】車載装置１０が搭載されている車両が、有料道路の走行を開始する際に行われる処理について説明するためのシーケンス図である。
【符号の説明】
【０１５５】
１…料金支払システム、１０…車載装置、１１…無線アンテナ、１２…ＤＳＲＣ部、１３…ＳＡＭ、１４…非接触通信Ｉ／Ｆ、１５…制御部、１６…ＨＭＩ、１７…記憶部、３０…携帯機器、３１…無線アンテナ、３２…公衆通信部、３３…ＨＭＩ、３４…非接触通信Ｉ／Ｆ、３５…制御部、３６…記憶部、５０…路側装置、５１…無線アンテナ、５２…ＤＳＲＣ部、５３…ＳＡＭ、５４…通信部、５５…制御部、６０…情報センタ、６１…記憶部、６２…通信部、６３…通信部、６４…制御部、８０…無線公衆回線網、９０…カードセンタ。
【図１】
0005056289.tif 000002
【図２】
0005056289.tif 000003
【図３】
0005056289.tif 000004
【図４】
0005056289.tif 000005
【図５】
0005056289.tif 000006
【図６】
0005056289.tif 000007
【図７】
0005056289.tif 000008
【図８】
0005056289.tif 000009
【図９】
0005056289.tif 000010
【図１０】
0005056289.tif 000011
【図１１】
0005056289.tif 000012
【図１２】
0005056289.tif 000013
【図１３】
0005056289.tif 000014